(57)【特許請求の範囲】
【請求項１】
ベース部材にフォーカシング方向及びトラッキング方向に移動可能なように中立位置にばね支持され、かつフォーカシングコイル及びトラッキングコイルを有する本体部と、該本体部からフォーカシング方向と直交する方向に突設された前記対物レンズの支持片とから構成される可動部材を有する対物レンズアクチュエータであって、
前記支持片に対して前記フォーカシング方向に沿って並列となるように、かつ少なくとも遊端部が該支持片に常に当接する向きに付勢されるように前記本体部に突設された板ばねからなる摺接ダンパ装置を有し、
前記可動部材の振動時にフォーカシング方向に反復して傾動する前記支持片に前記摺接ダンパ装置が摺接して振動を減衰するようになっていることを特徴とする対物レンズアクチュエータ。
【請求項２】
前記支持片及び／または摺接ダンパ装置の摺接面に、摩擦係数が大きくなるように処理が施されていることを特徴とする請求項１に記載の対物レンズアクチュエータ。
【請求項３】
前記板ばねが基端側から遊端側に向けて傾斜し、該遊端部が前記支持片に押圧されるように撓んでおり、その撓み量を調節することで前記板ばねと前記支持片との間の摩擦力を調節していることを特徴とする請求項１または請求項２に記載の対物レンズアクチュエータ。
【請求項４】
前記板ばねの遊端部が前記支持片と相反する方向に湾曲し、該湾曲部が前記支持片に接触するようになっていることを特徴とする請求項１乃至請求項３のいずれかに記載の対物レンズアクチュエータ。
【発明の詳細な説明】
【０００１】
【発明の属する技術分野】
本発明は光ディスク装置や光磁気ディスク装置などに用いられる対物レンズアクチュエータに関するものである。
【０００２】
【従来の技術】
従来から、例えば光ディスク装置や光磁気ディスク装置に於て、ディスクの各トラックに正確に光を集光させ、またはその反射光を受光素子に集光させるために、対物レンズが設けられた可動部材を４本の板ばねでベース部材に対してフォーカシング方向及びトラッキング方向に移動可能なように中立位置にばね支持し、フォーカシングコイル及びトラッキングコイルと磁石とから構成される磁気アクチュエータをもってこの可動部材を駆動制御する光学ヘッドが知られているが、この可動部材を保持するばね系での不要な振動モードや、低周波数域に於ける対物レンズの光軸に対する傾きが問題となる。これらは一般に可動部慣性力の作用点位置とコイル駆動力、ばねの復元力作用点位置を極力一致させることで低減させることができ、例えば特開平７−７８４３７号公報に開示されているように、対物レンズの光軸に対して可動部材形状、コイル取付位置を対称とした構造のものが知られている。
【０００３】
しかしながらこの構造では、小型、軽量化が難しいことから、対物レンズの光軸に対して可動部材形状、コイル取付位置を非対称とする構造が必要になる。
【０００４】
このような光学ヘッドにあって対物レンズを支持する可動部材として、例えば特開平６−３２５３８７号公報に開示されているように、ベース部材に立設されたコアを遊挿するための比較的大きな上下通孔が設けられた本体部と、この本体部からフォーカシング方向と直交する方向に突設された対物レンズの支持片とからなり、この本体部の上下通孔内にフォーカシングコイル及びトラッキングコイルを保持したものがある。
【０００５】
【発明が解決しようとする課題】
一方、近年上記した光ディスク装置や光磁気ディスク装置のディスク回転速度やヘッドスピードを向上してアクセス速度を高速化することが望まれている。その際、浮動支持された上記可動部材の振動が問題となる。特に、上記したような本体部からフォーカシング方向と直交する方向に対物レンズの支持片が突設されたものの場合、この支持片が薄肉となることからその振動が最も問題となり、場合によっては読み出し／書き込みエラーが発生する虞れがある。
【０００６】
そこで、例えば特開平５−１９７９９１号公報には、ばねと錘を用いた所謂慣性ダンパを設けてフォーカシング方向と直交する方向の回転を抑制する構造が開示されており、これを例えば上記本体部から対物レンズの支持片が突設されたものにそのままに適用し、支持片の振動を直接抑制するような慣性ダンパを設けることも考えられるが、光学的に邪魔にならないように上記慣性ダンパを設けることは困難であり、その構造が複雑になるばかりでなく、重量化し、また設計自由度が低下する問題もある。
【０００７】
本発明は上記したような従来技術の問題点に鑑みなされたものであり、その主な目的は、対物レンズを支持する可動部材の振動を抑制してディスク回転速度やヘッドスピードを向上可能とし、もって光ディスク装置や光磁気ディスク装置などを高速化及び高記録密度対応とすることが可能な対物レンズアクチュエータを提供することにある。
【０００８】
【課題を解決するための手段】
上述した目的は本発明によれば、ベース部材にフォーカシング方向及びトラッキング方向に移動可能なように中立位置にばね支持され、かつフォーカシングコイル及びトラッキングコイルを有する本体部と、該本体部からフォーカシング方向と直交する方向に突設された前記対物レンズの支持片とから構成される可動部材を有する対物レンズアクチュエータであって、前記支持片に対して前記フォーカシング方向に沿って並列となるように、かつ少なくとも遊端部が該支持片に常に当接する向きに付勢されるように前記本体部に突設された板ばねからなる摺接ダンパ装置を有し、前記可動部材の振動時にフォーカシング方向に反復して傾動する前記支持片に前記摺接ダンパ装置が摺接して振動を減衰するようになっていることを特徴とする対物レンズアクチュエータを提供することにより達成される。
【０００９】
【発明の実施の形態】
以下、本発明の好適な実施形態を添付の図面について詳しく説明する。
【００１０】
図１は、本発明が適用された光ディスク装置や光磁気ディスク装置などに用いられる光学ヘッドの要部斜視図、図２はその平面図である。この光学ヘッドは、対物レンズ１と、この対物レンズ１を一端支持片２ｂで支持する可動部材２と、図示されない装置本体側に設けられた駆動装置により粗動するようになっているベース部材（図示せず）と、可動部材２をベース部材にフォーカシング方向及びトラッキング方向に移動可能なように中立位置にばね支持するばね手段としての互いに平行な４本の板ばね４ａ、４ｂ、４ｃ、４ｄとを有している。また、可動部材２の本体部２ａの中間部には上下通孔２ｃが開設され、その対物レンズ１の支持側とと相反する側寄りにフォーカシングコイル５が貼着され、該フォーカシングコイル５の前端面に左右一対のトラッキングコイル６が貼着されている。一方、ベース部材３にはヨーク及び磁石からなる磁石ユニット７、８が立設され、一方の磁石ユニット７はフォーカシングコイル５に突入し、他方の磁石ユニット８は上下通孔２ｃのフォーカシングコイル５のない前部に突入してトラッキングコイル６と対峙している。
【００１１】
４本の板ばね４ａ、４ｂ、４ｃ、４ｄのうち、下側の板ばね４ａ、４ｂの一端は可動部材２の下部にトラッキング方向に突設された一対のフランジ２ｄに接着され、上側の板ばね４ｃ、４ｄの一端は可動部材２の上端面に接着されている。各板ばね４ａ、４ｂ、４ｃ、４ｄの他端はベース部材のバックプレート３に固着されている。尚、各板ばね４ａ、４ｂ、４ｃ、４ｄはフォーカシングコイル５及びトラッキングコイル６と図示されない外部制御装置を介して電源とを電気的に接続する配線をも兼ねている。
【００１２】
一方、図２（ａ）、図２（ｂ）に併せて示すように、本体部２ａには、支持片２ｂに対してフォーカシング方向に沿って略並列となるようにＵ字状をなす板ばねからなる摺接ダンパ装置１０が突設されている。摺接ダンパ装置１０の板ばねは基端側から遊側に向けて傾斜し、遊端部１０ａが支持片２ｂに押圧されるように撓んでいることにより、該遊端部１０ａは常に支持片２ｂと当接するようになっている。摺接ダンパ装置１０の板ばねのばね定数、撓み量及び摺接面の面粗度のいずれか１つまたは２つ以上を調整することによって、支持片２ｂの振動時の摺動抵抗を調整し得るようになっている。面粗度の調整は摺接ダンパ装置１０側及び／または支持片２ｂ側の表面仕上げまたはコーティングなどにより可能である。また、摺接ダンパ装置１０の遊端部１０ａの最遊端は外向きに湾曲して支持片２ｂに食い込まないようになっている。
【００１３】
次に、図２、図３（ａ）、図３（ｂ）を参照して本実施形態の作動について説明する。本光学ヘッドの運転時に、特にフォーカシング方向に支持片２ｂに振動が発生すると、摺接ダンパ装置１０との間で、例えば重ね板ばねの場合と同様な摺動摩擦が生じる。これにより支持片２ｂの振動が減衰することとなる。その様子を図３（ｂ）のＢ部に示す。また、図３（ａ）に摺接ダンパ装置１０がない場合の周波数とゲインとの関係を示す。
【００１４】
図３（ａ）のＡ部に示すように摺接ダンパ装置１０がない場合に高次共振周波数（約２２ｋＨｚ）のピークが約１１．３ｄＢあったものが、摺接ダンパ装置１０を設けることにより、その重量により発生周波数がやや低くなるもののピークが約５．２ｄＢと著しく小さくなっていることがわかる。ここで、上記同様な板ばねを支持片２ｂに接触させないようにして取り付けたものについても同様な実験を行ったが、振動の減衰効果は得られなかった。
【００１５】
尚、上記実施形態では主にフォーカシング方向の振動について述べたが、本願発明の構造上、トラッキング方向の振動についても減衰効果があることは云うまでもない。また、トラッキング方向の振動防止用に別途上記同様な摺接ダンパ装置を設けても良い。
【００１６】
本発明は上記実施形態に限定されず様々な応用が可能であることは云うまでもなく、例えば本実施形態では摺接ダンパ装置を対物レンズの支持片の図１に於ける上側に設けたが、下側に設けても良く、また板ばねの材質や形状も、組み付け可能な範囲で公知のいかなるものを用いても良い。
【００１７】
【発明の効果】
以上の説明により明らかなように、本発明による対物レンズアクチュエータによれば、ばね支持された本体部からフォーカシング方向と直交する方向に対物レンズの支持片が突設された可動部材を有する対物レンズアクチュエータに於いて、振動持に支持片に少なくとも遊端部が摺接するように本体部に板ばねからなる摺接ダンパ装置を突設し、この摺接ダンパ装置を支持片の振動時に摺接させて振動を減衰させることで、対物レンズを支持する可動部材の振動を抑制してディスク回転速度やヘッドスピードを向上可能とし、光ディスク装置や光磁気ディスク装置などを高速化することが可能となる。
【図面の簡単な説明】
【図１】本発明が適用された光ディスク装置や光磁気ディスク装置などに用いられる光学ヘッドの要部斜視図。
【図２】（ａ）は図１の光学ヘッドを簡略化して示す側面図、（ｂ）はその平面図。
【図３】（ａ）は摺接ダンパ装置のない場合の周波数とゲインとの関係を示すグラフ、（ｂ）は摺接ダンパ装置がある場合の周波数とゲインとの関係を示すグラフ。
【符号の説明】
１  対物レンズ
２  可動部材
３  バックプレート
２ａ  本体部
２ｂ  支持部
２ｃ  上下通孔
２ｄ  フランジ
４ａ、４ｂ、４ｃ、４ｄ  板ばね
５  フォーカシングコイル
６  トラッキングコイル
７、８  磁石ユニット
１０  摺接ダンパ装置
１０ａ  遊端部
【図１】
0003561379.tif 000002
【図２】
0003561379.tif 000003
【図３】
0003561379.tif 000004